【事件の表示】
　特許第２９１２０１０号「パチンコ遊技機」の特許に対する特許異議の申立てについて、次のとおり決定する。
【結　論】
　訂正を認める。
　特許第２９１２０１０号の特許を維持する。
【理　由】
【１】手続きの経緯
　特許２９１２０１０号の請求項に係る発明（以下「本件発明」という。）は、平成２年１１月３０日に特許出願され、平成１１年４月９日に特許の設定登録がなされた。
　これに対して、「上田実」より特許異議の申立てがなされ、取消理由通知がなされ、その指定期間内である平成１２年７月１７日に訂正請求がなされた。
【２】訂正の内容
（１）特許請求の範囲の訂正
　請求項を下記のとおり訂正。
　「遊技盤面に、パチンコ球の入賞を可能とした始動口と、該始動口へのパチンコ球の入賞に基いて図柄を変動表示する特別図柄表示器と、前記特別図柄表示器における停止図柄が特定条件を満たした場合に、大入賞口の開放動作を行う第１の入賞装置と、パチンコ球の入球を可能としたゲートと、該ゲートへのパチンコ球の通過に基いて図柄を変動する普通図柄表示器と、前記普通図柄表示器における停止図柄が特定条件を満たした場合に、前記第１の入賞装置とは無関係に開放動作を行う第２の入賞装置とを備え、
　前記第２の入賞装置の開放面積を前記大入賞口よりも小さい面積とすると共に、前記第２の入賞装置を前記第１の入賞装置の直上に配置し、前記普通図柄表示器における停止図柄が特定条件を満たす確率を、前記特別図柄表示器における停止図柄が特定条件を満たす確率よりも高い確率としてあり、前記ゲートを前記始動口に対して前記遊技盤の上部に配置したことを特徴とするパチンコ遊技機。」
（２）発明の詳細な説明の訂正
　明細書第２頁第２４行〜第３頁第５行（公報第３欄第３６行〜第４欄第１行）を下記のとおり訂正。
　「本発明のパチンコ遊技機は、遊技盤面に、パチンコ球の入賞を可能とした始動口と、該始動口へのパチンコ球の入賞に基いて図柄を変動表示する特別図柄表示器と、前記特別図柄表示器における停止図柄が特定条件を満たした場合に、大入賞口の開放動作を行う第１の入賞装置と、パチンコ球の入球を可能としたゲートと、該ゲートへのパチンコ球の通過に基いて図柄を変動する普通図柄表示器と、前記普通図柄表示器における停止図柄が特定条件を満たした場合に、前記第１の入賞装置とは無関係に開放動作を行う第２の入賞装置とを備え、前記第２の入賞装置の開放面積を前記大入賞口よりも小さい面積とすると共に、前記第２の入賞装置を前記第１の入賞装置の直上に配置し、前記普通図柄表示器における停止図柄が特定条件を満たす確率を、前記特別図柄表示器における停止図柄が特定条件を満たす確率よりも高い確率としてあり、前記ゲートを前記始動口に対して前記遊技盤の上部に配置したことを特徴とする。」
【３】訂正の適否についての判断
（１）特許請求の範囲の訂正
　上記訂正は、訂正前の請求項に記載された「ゲート」の位置を「始動口に対して遊技盤の上部に配置した」ことに限定するなど、いくつかの構成要件を明細書に記載されていた実施例に即して下位概念に限定したものであり、特許請求の範囲の減縮に該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明瞭な記載の釈明を目的とするものと認められる。
（３）独立特許要件
（３−１）当審が通知した上記取消理由通知で引用した、先願明細書（特願平２−２５００３０号（特開平４−１２９５８２号））には、下記の事項が図面とともに記載されている。
　「入賞領域を形成した遊技部を有する遊技盤と、
　遊技状態が予め設定された特別遊技状態になったことを検出する特定遊技状態検出手段と、
　上記遊技盤に設けられて、遊技者にとって不利な第１状態と、遊技者に有利な第２状態とに変換可能な変動入賞装置と、
　上記特定遊技状態検出手段からの特定遊技状態検出信号に基づいて、上記変動入賞装置を所定の間隔で遊技者にとって有利な第２状態とに変換する変動入賞装置駆動制御手段と、
　上記遊技盤に設けられて、遊技者にとって不利な第１状態と、遊技者にとって有利な第２状態とに変換可能な補助変動入賞装置と、
　上記遊技盤に設けられて、複数の図柄の表示を行う補助図柄表示手段と、
　上記遊技部内に設けられた特定領域を流下する打球を検出し、上記補助図柄表示手段が作動することとなる信号を発する特定入賞検出手段と、
　上記補助図柄表示手段が作動を開始した後に、該補助図柄表示手段の作動を停止することとなる信号を発する補助図柄表示停止指令信号発生手段と、
　上記補助図柄表示停止指令信号発生手段からの信号を能動化する補助図柄表示停止指令信号能動化手段と、
　上記補助図柄表示手段の停止図柄を決定する遊技者にとって不利な乱数と、遊技者にとって有利な乱数とを選択する乱数変更状態検出手段と、
　上記補助図柄表示停止指令信号能動化手段の作動により、上記補助図柄表示停止指令信号発生手段からの停止指令信号に基づいて、上記補助図柄表示手段の停止図柄を決定する乱数を遊技者にとって有利な乱数に選択する補助図柄確率変更手段と、
　上記補助図柄表示手段の停止図柄を決定する補助図柄確率制御手段と、
　上記補助図柄表示手段を上記特定入賞信号発生手段からの特定入賞信号により作動させ、所定時間経過後に該補助図柄表示手段の表示を上記補助図柄確率制御手段にて決定した図柄に停止させる補助図柄表示制御手段と、
　上記補助図柄表示手段の停止図柄態様に基づいて、上記補助変動入賞装置を所定の条件で、遊技者にとって有利な第２状態に変換する補助変動入賞装置駆動制御手段と、
　を備えることを特徴とするパチンコ機。」（請求項１）、
　「球が第１始動口１１に入賞すると、第１始動スイッチ１０がこの球を検出して電気的制御装置３７の入賞記憶手段６７に信号を送る。なお、可変表示装置９の左側の第２始動口１５に入賞すると、同様にして、第２始動スイッチ３２が、右側の第３始動口１６に入賞すると第３始動スイッチ３３が夫々入賞した球を検出して電気的制御装置３７の入賞記憶手段６７に信号を送る。」（第６頁左下欄第８〜１５行）、
　「入賞記憶手段６７に特定入賞信号が記憶されると、この信号が動作タイミング制御手段６８に送られ、該動作タイミング制御手段６８からの信号にもとづいて停止タイミング可変手段６９ａ，６９ｂ，６９ｃ、表示更新パルス手段７０ａ，７０ｂ，７０ｃ、可変表示制御手段７１ａ，７１ｂ，７１ｃが作動し、これらにより可変表示装置９の各可変表示器３１ａ，３１ｂ，３１ｃに「０」から「９」の数字等を視認できない高速で可変表示することを開始する。」（第６頁右下欄第７〜１６行）、
　「可変表示装置９の可変表示が全て停止すると、判定手段７２が可変表示装置９に表示された表示態様（数字の組合せ等）が予め設定した賞態様（例えば「７」「７」「７」）に該当するか否かを判定し、表示態様が賞態様に該当すると上記判定手段７２が判定した場合には、当該パチンコ機１において特別遊技の権利が発生し、該判定手段７２から発される各種の制御信号に基づいて、本実施例のパチンコ機１における特定遊技である特別遊技が開始される。」（第７頁左上欄第４〜１３行）、
　「判定手段７２が特別遊技の権利が発生したことを検出すると、変動入賞装置駆動制御手段７４へ大当り信号を送出すると共に、上記動作タイミング制御手段６８及び補助可変表示器・補助変動入賞装置駆動制御部（後に詳述）へ信号出力することで特別遊技が開始される。
　そして、変動入賞装置駆動制御手段７４が大当り信号を受けると、内蔵するタイマ７４ａが計時する所定時間（例えば３０秒間）だけ、変動入賞装置１４のソレノイド５２，５４を励磁させて球受扉５３及び球受片５５，５５を開いて打球を受け入れ易い第２状態に変換する。」（第７頁右上欄第４〜１５行）、
　「遊技部８内を流下する球が通過チャッカ１２，１２の通過孔３５内を通過すると、特定球検出器３６，３６がこの球を検出して電気的制御装置３７の補助可変表示器・補助変動入賞装置駆動制御部７７に信号を送出する。
　電気的制御装置３７の補助可変表示器・補助変動入賞装置駆動制御部７７は、第１１図に示すように、特定球検出器３６からの信号を受けて特定入賞記憶手段７８に予め設定した範囲内（例えば４つまで）まで記憶可能であり、該特定入賞記憶手段７８に信号が記憶されていると、補助図柄確率制御手段７９が乱数生成手段である乱数テーブルから適宜な乱数を取り出し、該乱数に基づいて補助可変表示器１７の停止図柄を決定する。
　本実施例における補助図柄確率制御手段７９は、賞態様の確率が低い（例えば、１／１０）乱数テーブルＡと、賞態様の確率が中程度（例えば、１／５）乱数テーブルＢと、賞態様の確率が高い（例えば、１／３）乱数テーブルＣとを備えており、乱数変更状態検出手段８０からの信号により上記した乱数テーブルを選択して、特定入賞記憶手段７８からの信号にもとづいて乱数を取り出す。」（第７頁右下欄第２行〜第８頁左上欄第４行）、
　「補助変動入賞装置駆動制御手段９０は、補助可変表示器１７で賞態様が形成されると、補助変動入賞装置１３を所定条件たる６秒間だけ遊技者にとって有利な第２状態に変換するのである。」（第９頁左上欄第７〜１１行）。
（３−２）対比・判断
　訂正後の本件発明と上記先願明細書記載のものとを対比すると、先願明細書には、少なくとも本件発明の「ゲートを始動口に対して遊技盤の上部に配置した」点について何等記載されておらず、示唆もない。
　先願明細書における「ゲート（通過チャッカ）」は各「始動口１１，１５，１６」より下方に設けられており、この点において、本件発明は、上記先願明細書に記載された発明と実質的に同一であるとはいえない。
（４）むすび
　以上のとおりであるから、上記訂正は、特許法第１２０条の４第２，３項で準用する第１２６条第２〜４項の規定に適合するので、当該訂正を認める。
【４】特許異議申立てについての判断
（１）本件発明
　本件請求項に係る発明は、上記訂正明細書の請求項に記載された事項により特定されるとおりのものである。
（２）申立ての理由の概要
　申立人は、証拠として甲第１号証（上記取消理由通知で提示した先願明細書である。）を提出し、訂正前の請求項に係る発明は、上記先願明細書に記載された発明であり、特許法第２９条の２第１項の規定により、特許を受けることができないのものであるから、請求項に係る発明の特許を取り消すべき旨主張している。
（３）判断
  本件発明は、上記【３】（３）で示したように上記先願明細書に記載された発明と実質的に同一であるとはいえない。
（４）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１２年８月１５日（２０００．８．１５）